(57)【要約】      （修正有）【課題】表示面に表示される画像の表示領域を制限し、撮影を効率的に実施することを容易に可能な超音波診断装置を提供することにある。【解決手段】超音波が送信された被検体から反射される超音波を受信して得られるエコー信号に基づいて、前記被検体の画像を生成する超音波診断装置であって、生成される被検体の画像を表示部４１が表示面に表示する際に、視野角調整部４２が表示部の視野角を調整する。【選択図】図１
2006247039.tif 000002
【特許請求の範囲】
【請求項１】
超音波が送信された被検体から反射される超音波を受信して得られるエコー信号に基づいて、前記被検体の画像を生成する超音波診断装置であって、
前記被検体の画像を表示面に表示する表示部と、
前記表示部の視野角を調整する視野角調整部と
を有する超音波診断装置。
【請求項２】
前記被検体が載置される載置台
を有し、
前記視野角調整部は、前記載置台に近い側が遠い側よりも小さな角度範囲で前記表示部が画像を表示するように、前記表示部の視野角を調整する
請求項１に記載の超音波診断装置。
【請求項３】
オペレータからの指令に基づいて、前記視野角調整部が調整する視野角を設定する視野角設定部
を有し、
前記視野角調整部は、前記視野角設定部により設定された前記視野角に対応するように、前記表示部の表示面における視野角を調整する
請求項１に記載の超音波診断装置。
【請求項４】
前記表示部の前記表示面による画像の表示方向を検知する表示方向検知部と
を有し、
前記視野角調整部は、前記表示方向検知部が検知した前記表示方向に基づいて、前記表示部の前記表示面における視野角を調整する
請求項１に記載の超音波診断装置。
【請求項５】
前記表示方向検知部が検知した前記表示方向に基づいて前記視野角調整部が視野角を調整する際の閾値を、オペレータからの指令に基づいて設定する閾値設定部
を有し、
前記視野角調整部は、前記閾値設定部により設定された前記閾値に基づいて、前記表示部の表示面における視野角を調整する
請求項４に記載の超音波診断装置。
【請求項６】
前記被検体が載置される載置台
を有し、
前記視野角調整部は、前記表示方向検知部が検知した前記表示方向が前記載置台の方向にある場合には、前記表示方向が前記載置台と異なる方向の場合よりも、前記表示部の視野角が小さくなるように調整する
請求項４に記載の超音波診断装置。
【請求項７】
前記被検体の位置を検知する被検体位置検知部
を有し、
前記視野角調整部は、前記被検体位置検知部が検知した前記被検体の位置に基づいて、前記表示部の前記表示面における視野角を調整する
請求項１に記載の超音波診断装置。
【請求項８】
オペレータからの指令に基づいて、前記視野角調整部が前記視野角を調整する動作の可否を設定する調整可否設定部
を有し、
前記視野角調整部は、前記調整可否設定部により設定された視野角の調整動作の可否情報に対応するように、前記視野角を調整する動作を実施する
請求項１から７のいずれかに記載の超音波診断装置。
【発明の詳細な説明】
【技術分野】
【０００１】
本発明は、超音波診断装置に関し、特に、超音波を被検体へ送信し、その被検体から反射される超音波を受信して得られるエコー信号に基づいて生成される被検体の画像を表示面に表示する超音波診断装置に関する。
【背景技術】
【０００２】
超音波診断装置は、超音波を被検体に送信し、その被検体から反射され受信される超音波のエコー信号に基づいて、被検体の断層面についての画像を生成し、その生成した画像を表示する装置として知られている（たとえば、特許文献１参照）。
【０００３】
超音波診断装置は、Ｂモード、ＣＦＭ（Ｃｏｌｏｒ  Ｆｌｏｗ  Ｍａｐｐｉｎｇ）モード、ＰＷＤ（Ｐｕｌｓｅ  Ｗａｖｅ  Ｄｏｐｐｅｌｅｒ）モードなど様々な動作モードがある。超音波診断装置は、リアルタイムな画像生成が容易にできる利点を有しているため、特に、胎児検診や心臓検診などの医療分野において重用されている。
【特許文献１】特開２００２−１７７２７０号公報
【発明の開示】
【発明が解決しようとする課題】
【０００４】
超音波診断装置においては、上記のようにして生成した被検体の断層面についての画像を、ＬＣＤ（Ｌｉｑｕｉｄ  Ｃｒｙｓｔａｌ  Ｄｉｓｐｌａｙ）パネルなどの表示装置の表示面に表示する。このような場合では、表示装置の表示面に表示される画像を、広い視野角範囲で見ることが可能になっている。
【０００５】
このため、表示面に表示される画像をオペレータ以外の者に見られてしまう場合がある。たとえば、医療用途においては、オペレータが撮影している時に、表示面に表示される画像を被検体が見る場合がある。このような場合には、被検体が動いてしまう場合があり、オペレータが撮影を効率的に実施することが困難な場合があった。
【０００６】
したがって、本発明の目的は、表示面に表示される画像の表示領域を制限し、撮影を効率的に実施することが容易に可能な超音波診断装置を提供することにある。
【課題を解決するための手段】
【０００７】
上記目的を達成するために、本発明の超音波診断装置によれば、超音波を被検体へ送信し、前記被検体から反射される前記超音波を受信して得られるエコー信号に基づいて、前記被検体の画像を生成する超音波診断装置であって、前記被検体の画像を表示面に表示する表示部と、前記表示部の前記表示面における視野角を調整する視野角調整部とを有する。
【発明の効果】
【０００８】
本発明によれば、表示面に表示される画像の表示領域を制限し、撮影を効率的に実施することが容易に可能な超音波診断装置を提供することができる。
【発明を実施するための最良の形態】
【０００９】
＜実施形態１＞
【００１０】
本発明にかかる実施形態１について説明する。
【００１１】
図１と図２は、本発明にかかる実施形態１において、超音波診断装置１の構成を示す図である。ここで、図１は、本発明にかかる実施形態１において、超音波診断装置１の全体構成を模式的に示した正面図である。また、図２は、本発明にかかる実施形態１において、超音波診断装置１の要部を示すブロック図である。
【００１２】
図１に示すように、本実施形態の超音波診断装置１は、載置台２と、超音波診断装置本体３と、表示装置４とを有し、超音波を被検体Ｓへ送信し、その被検体Ｓから反射される超音波を受信して得られるエコー信号に基づいて、被検体Ｓの画像を生成する。各部について、順次、説明する。
【００１３】
載置台２について説明する。
【００１４】
載置台２は、載置面が水平面（ｘｙ面）に沿うように形成されているテーブルを有し、そのテーブルの載置面に被検体Ｓが載置され、その被検体Ｓを支持する。
【００１５】
超音波診断装置本体３について説明する。
【００１６】
超音波診断装置本体３は、図１に示すように、超音波プローブ３１と、中央処理部３２と、操作部３３とを有する。そして、図２に示すように、中央処理部３２は、送受信部３２１と、画像生成部３２２と、記憶部３２３と、制御部３２４とを有する。超音波診断装置本体３の各部について説明する。
【００１７】
超音波プローブ３１は、複数の超音波振動子（図示なし）がマトリクス状に均等に配列されて形成されている。超音波プローブ３１において超音波振動子は、たとえば、ＰＺＴ（チタン酸ジルコン酸鉛）セラミックスなどにより構成されており、電気信号を音波に変換して送信し、そして、受信した音波を電気信号に変換する。超音波プローブ３１は、超音波振動子が形成された面を被検体Ｓの表面に当接して使用される。超音波プローブ３１は、制御部３２４からの指令によって送受信部３２１から送信される駆動信号に基づいて、超音波振動子から超音波を被検体Ｓ内に送信する。そして、その超音波が送信された被検体Ｓ内から反射される超音波を超音波振動子で受信して、エコー信号を出力する。
【００１８】
中央処理部３２は、送受信部３２１と、画像生成部３２２と、記憶部３２３と、制御部３２４とを有しており、各種データの処理を実施する。
【００１９】
中央処理部３２の送受信部３２１は、超音波を送受信する送受信回路を含むように構成されている。送受信部３２１は、超音波プローブ３１に接続されており、制御部３２４からの指令に基づいて、超音波プローブ３１の超音波振動子から超音波を被検体Ｓへ送信し、その被検体Ｓから反射される超音波を超音波振動子で受信してエコー信号を得る。たとえば、送受信部３２１は、電子コンベックス走査方式でスキャンを実施する。そして、送受信部３２１は、その生成したエコー信号を画像生成部３２２に出力する。具体的には、送受信部３２１は、超音波ビームを移動させてスキャンするように、超音波プローブ３１の超音波振動子を、順次、切り替えて超音波を受信し、その受信した超音波のよるデータに増幅、遅延、加算などの処理を実施してエコー信号を生成し、画像生成部３２２に出力する。
【００２０】
中央処理部３２の画像生成部３２２は、送受信部３２１により得られるエコー信号に基づいて、被検体Ｓの画像を生成する。画像生成部３２２は、たとえば、コンピュータとプログラムとによって構成されており、制御部３２４からの指令に基づいて、送受信部３２１からのエコー信号を画像処理し、被検体Ｓの断層面についての画像を時系列順にフレームごとに生成する。具体的には、画像生成部３２２は、対数増幅器、包絡線検波器を備え、送受信部３２１が出力するエコー信号を対数増幅した後に包絡線を検波し、たとえば、Ｂモードによる画像をフレーム毎に生成する。そして、画像生成部３２２は、記憶部３２３に接続されており、前述のようにして生成したフレームの画像を、順次、記憶部３２３に出力する。画像生成部３２２は、たとえば、超音波プローブ３１を用いて妊婦の腹部内における胎児の頭部についてスキャンして得られるエコー信号に基づいて、胎児の頭部についての画像を生成し、記憶部３２３へその胎児の頭部についての画像を出力して記憶させる。
【００２１】
中央処理部３２の記憶部３２３は、たとえば、シネメモリとＨＤＤとを含むように構成されており、画像生成部３２２により生成された画像を記憶する。記憶部３２３は、画像生成部３２２と接続されており、制御部３２４からの指令に基づいて、画像生成部３２２により生成される複数フレームの画像をシネメモリで一時的に記憶した後、ＨＤＤに出力して記憶する。たとえば、記憶部３２３は、シネメモリに２分間分の動画像に相当するフレームの画像を記憶し、その２分間分の動画像についてのフレームの画像をＨＤＤに出力して記憶する。また、記憶部３２３のシネメモリは、表示部４１に接続されており、シネメモリが記憶した動画像のフレームが表示部４１によって順次リアルタイムに表示される。そして、記憶部３２３のＨＤＤも同様に、表示部４１に接続されており、オペレータによって操作部３３に入力される指令に基づいて、ＨＤＤが記憶した動画像のフレームである画像の画像データを表示部４１に出力し、表示部４１がその画像を表示する。
【００２２】
中央処理部３２の制御部３２４は、たとえば、コンピュータとプログラムとにより構成されており、各部にそれぞれ接続されている。制御部３２４は、操作部３３からの操作信号に基づいて各部に制御信号を与え動作を制御する。
【００２３】
操作部３３は、たとえば、キーボード（ｋｅｙｂｏａｒｄ）、タッチパネル（ｔｏｕｃｈ  ｐａｎｅｌ）、トラックボール（ｔｒａｃｋ  ｂａｌｌ）、フットスイッチ（ｆｏｏｔ  ｓｗｉｃｈ）、音声入力装置などの入力装置により構成されている。操作部３３は、オペレータからの操作情報が入力され、それに基づいて制御部３２４に指令を出力する。
【００２４】
表示装置４について説明する。
【００２５】
表示装置４は、図１に示すように、表示部４１と、視野角調整部４２と、表示部支持台４３とを有する。
【００２６】
表示部４１は、画像生成部３２２により生成された画像を、記憶部３２３から取得して表示する。表示部４１は、たとえば、平面な表示面を有するＬＣＤ装置（図示なし）と、ＤＳＣ（Ｄｉｄｉｔａｌ  Ｓｃａｎ  Ｃｏｎｖｅｒｔｅｒ）とを含む。表示部４１は、図２に示すように、記憶部３２３に接続されており、制御部３２４からの指令に基づいて、記憶部３２３のシネメモリが記憶する画像をＤＳＣにより表示信号に変換し、ＬＣＤ装置の表示面に、画像生成部３２２が生成した画像をリアルタイムに表示する。また、表示部４１は、記憶部３２３のＨＤＤに接続されており、オペレータにより操作部３３に入力される指令に基づいて、ＨＤＤが記憶した動画像のフレームである画像の画像データを受けて、その画像を画面に表示する。たとえば、表示部４１は、妊婦の腹部内における胎児の頭部についての断層の画像を記憶部３２３から取得し、画面にその画像を表示する。
【００２７】
視野角調整部４２は、表示部４１の表示面における視野角を調整する。つまり、視野角調整部４２は、表示部４１が表示する角度範囲を調整する。視野角調整部４２は、表示部４１の表示面に表示された画像による光を屈折させる視野角調整フィルタを含む。視野角調整部４２においては、この視野角調整フィルタが表示部４１の表示面に設けられており、この視野角調整フィルタにより、表示部４１の表示面における視野角を調整する。
【００２８】
図３は、本発明に係る実施形態１において、視野角調整部４２が視野角を調整して、画像が表示された様子を示す上面図である。
【００２９】
図３に示すように、本実施形態においては、視野角調整部４２は、載置台２に近い側が遠い側よりも小さな角度範囲まで表示部４１が表示するように、表示部４１の視野角を調整する。具体的には、載置台２に近い側の視野角を、表示部４１の表示面に垂直な方向から、載置台２に近い側へ傾けた方向までの角度θ１まで見えるように調整する。また、載置台２から遠い側の視野角を、表示部４１の表示面に垂直な方向から、載置台２に遠い側へ傾けた方向までの角度であって、載置台２に近い側の視野角よりも小さくなるような角度θ２まで見えるように調整する。ここでは、視野角調整部４２は、たとえば、光を屈折させる方向が異なる複数の視野角調整フィルタを用いて、表示部４１の表示面における視野角を調整する。
【００３０】
表示部支持台４３は、表示部４１の表示面による画像の表示方向を変更可能なように、表示部４１を支持する。具体的には、表示部支持台４３は、表示部４１を枢支しており、たとえば、鉛直方向ｚを軸に回動可能であると共に、表示面に対して平行な水平方向ｘを軸に表示面に垂直な方向ｙに沿って回動可能なように、表示部４１を支持している。
【００３１】
以上のように、本実施形態では、超音波が送信された被検体Ｓから反射される超音波を受信し得られるエコー信号に基づいて生成された被検体Ｓの画像を、表示部４１が表示面に表示する際においては、視野角調整部４２が表示部４１の表示面における視野角を調整する。ここでは、視野角調整部４２は、被検体Ｓが載置される載置台２に近い側が遠い側よりも小さな角度範囲まで画像が表示されるように、表示部４１の視野角を調整している。このため、本実施形態は、オペレータが撮影している時に、表示面に表示される画像が被検体に見られることを防止可能である。したがって、本実施形態は、撮影を効率的に実施することができる。
【００３２】
＜実施形態２＞
本発明にかかる実施形態２について説明する。
【００３３】
図４は、本発明にかかる実施形態２において、超音波診断装置１の要部を示すブロック図である。
【００３４】
図４に示すように、超音波診断装置本体３の中央処理部３２において、制御部３２４が視野角設定部３２４ａを含み、実施形態１と異なる。また、表示装置４においての視野角制御部４２が、実施形態１と構成が異なる。この点を除き、実施形態１と同様である。このため、重複する個所については、説明を省略する。
【００３５】
中央処理部３２の制御部３２４が含む視野角設定部３２４ａは、操作部３３に入力されたオペレータからの指令に基づいて、視野角調整部４２が調整する視野角を設定する。ここでは、後述するように、表示部４１の画像による光を屈折する屈折方向が制御信号に応じて変化する視野角設定部３２４ａによって調整される視野角を、視野角設定部３２４ａが設定する。そして、視野角設定部３２４ａは、この設定した視野角に応じた制御信号を視野角調整部４２に出力し、視野角調整部４２に視野角を調整させる。
【００３６】
視野角調整部４２は、たとえば、互いに対向している透明な一対の基板（図示なし）と、その一対の基板の対向面のそれぞれに形成された一対の透明電極（図示なし）と、その一対の基板の対向面に挟まれるように配置され、液晶分子が配向されている液晶層（図示なし）とを含む視野角調整フィルタを備えている。そして、視野角調整部４２は、視野角設定部３２４ａから出力される制御信号に基づいて、この視野角調整フィルタの液晶層に電圧が印加され、液晶分子の配向方向が変化し、表示部４１の画像による光を屈折する屈折方向が変化し、視野角を調整する。
【００３７】
図５は、本発明に係る実施形態２において、視野角調整部４２が視野角を調整して、画像が表示された様子を示す上面図である。図５において、図５（ａ）は、視野角を小さくする場合を示しており、図５（ｂ）は、視野角を大きくする場合を示している。
【００３８】
図５に示すように、表示面に平行な水平方向ｘの視野角を小さくする指令をオペレータが操作部３３に入力した場合には、視野角設定部３２４ａが、この入力された指令に基づいて制御信号を視野角調整部４２に出力する。そして、これに基づいて、視野角調整部４２は、視野角調整フィルタの液晶層の配向方向が変化し、たとえば、初期設定の視野角α０よりも小さい視野角α１になるように調整を実施する。一方、この視野角を大きくする指令をオペレータが操作部３３に入力した場合には、同様に、視野角設定部３２４ａが、この入力された指令に基づいて、視野角に応じた制御信号を視野角調整部４２に出力する。そして、視野角調整部４２においては、視野角調整フィルタの液晶層の配向方向が変化し、たとえば、初期設定の視野角α０よりも大きな視野角α２になるように視野角が調整される。
【００３９】
以上のように、本実施形態は、オペレータからの指令に基づいて、視野角調整部４２が調整する視野角を、視野角設定部３２４ａが設定する。そして、視野角調整部４２は、視野角設定部３２４ａにより設定された視野角に対応するように、表示部４１の表示面における視野角を調整する。このため、本実施形態は、オペレータが撮影している時に、表示面に表示される画像が被検体に見られることを防止可能である。したがって、本実施形態は、撮影を効率的に実施することができる。
【００４０】
＜実施形態３＞
本発明にかかる実施形態３について説明する。
【００４１】
図６は、本発明にかかる実施形態３において、超音波診断装置１の要部を示すブロック図である。
【００４２】
図６に示すように、超音波診断装置本体３の中央処理部３２において、制御部３２４が調整可否設定部３２４ｂと、閾値設定部３２４ｃとを含み、実施形態２と異なる。また、表示装置４が表示方向検知部４４を含み、実施形態２と異なる。また、本実施形態は、制御部３２４の動作が実施形態２と異なる。この点を除き、本実施形態は、実施形態２と同様である。このため、重複する個所については、説明を省略する。
【００４３】
中央処理部３２の制御部３２４が含む調整可否設定部３２４ｂは、操作部３３に入力されたオペレータからの指令に基づいて、視野角調整部４２が視野角を調整する動作の可否を設定する。そして、調整可否設定部３２４ｂは、設定した動作の可否についての制御信号を視野角調整部４２に出力して、調整動作の可否情報に対応するように、視野角調整部４２に視野角を調整する動作を実施させる。
【００４４】
中央処理部３２の制御部３２４が含む閾値設定部３２４ｃは、表示方向検知部４４が検知した表示部４１の表示方向に基づいて視野角調整部４２が視野角を調整する際の閾値を、操作部３３に入力されたオペレータからの指令に基づいて設定する。そして、閾値設定部３２４ｃは、この設定した閾値についての制御信号を視野角調整部４２に出力し、視野角調整部４２が表示部４１の表示面における視野角を、この設定した閾値に対応して調整させる。
【００４５】
表示装置４の表示方向検知部４４は、角度センサを含み、表示部支持台４３に支持された表示部４１の表示面による画像の表示方向の角度を、この角度センサにより検知する。そして、表示方向検知部４４は、この検知した表示方向の角度についてのデータを制御部３２４に出力する。そして、表示方向検知部４４が検知した表示方向の角度に基づいて、制御部３２４が視野角調整部４２に、表示部４１の表示面における視野角を調整させる。
【００４６】
以下より、本実施形態の画像表示方法について説明する。ここでは、上述の超音波診断装置１を用いて被検体Ｓの画像を表示する。
【００４７】
図７と図８は、本発明にかかる実施形態３において、画像表示方法を説明するための図である。ここで、図７は、本発明にかかる実施形態３において、画像表示方法を説明するためのフロー図である。一方、図８は、本発明にかかる実施形態３において、視野角を調整させる際の様子を示す上面図である。
【００４８】
図７に示すように、まず、視野角の調整可否の設定を行う（Ｓ１１）。
【００４９】
ここでは、操作部３３に入力されたオペレータからの指令に基づいて、視野角調整部４２が視野角を調整する動作の可否を調整可否設定部３２４ｂが設定する。つまり、視野角調整部４２に視野角を調整する動作を実施させる（ｏｎ）か否か（ｏｆｆ）の設定を行う。そして、視野角調整部４２に視野角を調整する動作を実施させない場合（ｏｆｆ）は、特に、制御信号を送信せずに本動作を終了させ、この時点で設定された視野角のままで表示部４１に画像を表示させる。一方、視野角調整部４２に視野角を調整する動作を実施させる場合（ｏｎ）には、調整可否設定部３２４ｂは、この動作に対応した制御信号を視野角調整部４２に出力し、視野角調整部４２に視野角を調整する動作を実施させる。
【００５０】
つぎに、図７に示すように、閾値β０の設定を行う（Ｓ２１）。
【００５１】
ここでは、表示方向検知部４４が検知した表示部４１の表示方向に基づいて視野角調整部４２が視野角を調整する際の閾値β０を、操作部３３に入力されたオペレータからの指令に基づいて閾値設定部３２４ｃが設定する。たとえば、図８に示すように、表示部４１の表示面の初期位置ｙ０と、鉛直方向ｚを軸に、初期位置ｙ０と異なる回転された位置ｙ１との間における表示面の角度を、閾値β０として設定する。そして、この設定した閾値β０についての制御信号を閾値設定部３２４ｃが視野角調整部４２に出力する。
【００５２】
つぎに、図７に示すように、表示方向の角度β１の検知を行う（Ｓ３１）。
【００５３】
ここでは、表示部支持台４３に支持された表示部４１の表示面による画像の表示方向を、表示方向検知部４４が角度センサを用いて検知する。たとえば、図８に示すように、表示部４１の表示面が初期位置ｙ０から、オペレータによって初期位置ｙ０と異なる移動位置ｙ２へ、鉛直方向ｚを軸に回転された場合には、初期位置ｙ０と、この移動後の位置ｙ２との表示面の角度β１を検知する。そして、この検知した表示方向の角度β１についてのデータを表示方向検知部４４が制御部３２４に出力する。
【００５４】
つぎに、図７に示すように、閾値β０と、検知した表示方向の角度β１との比較を行う。（Ｓ４１）。
【００５５】
ここでは、閾値設定部３２４ｃにより設定された閾値β０と、表示方向検知部４４が検知した表示方向の角度β１とを制御部３２４が比較する。ここで、検知した表示方向の角度β１が閾値β０より小さい場合には、視野角調整部４２が表示部４１の表示面における視野角を調整しないように、制御部３２４が制御信号を視野角調整部４２に出力せずに本動作を終了させ、この時点で設定された視野角のままで表示部４１に画像を表示させる。一方、検知した表示方向の角度β１が閾値β０より大きい場合、視野角調整部４２が表示部４１の表示面における視野角を調整するように、制御部３２４が制御信号を視野角調整部４２に出力する。
【００５６】
つぎに、図７に示すように、視野角の調整を実施する（Ｓ５１）。
【００５７】
ここでは、表示部４１の表示面における視野角を視野角調整部４２に調整させる制御信号を制御部３２４から視野角調整部４２が受け、これに基づいて、視野角調整部４２が視野角を調整する。たとえば、表示部４１の表示面の表示方向が初期位置から載置台２に近づく方向になると共に、設定された閾値β０を超えている場合には、視野角調整部４２は、視野角調整フィルタの液晶層の配向方向を変化させて、前述の図５（ａ）に示すように、初期設定の視野角α０よりも小さな視野角α１になるように視野角を調整する。一方、表示部４１の表示面の表示方向が初期位置から、載置台２より遠ざかる方向になると共に、設定された閾値β０を超えている場合には、視野角調整部４２は、視野角調整フィルタの液晶層の配向方向を変化させて、前述の図５（ｂ）に示すように、初期設定の視野角α０よりも大きな視野角α２になるように視野角を調整する。
【００５８】
以上のように、本実施形態においては、表示部４１の表示面による画像の表示方向を表示方向検知部４４が検知し、その表示方向検知部４４が検知した表示方向に基づいて、表示部４１の表示面における視野角を視野角調整部４２が調整する。ここでは、視野角調整部４２は、表示方向検知部４４が検知した表示方向が載置台２の方向にある場合には、その表示方向が載置台２と異なる方向の場合よりも、表示部４１の視野角が小さくなるように調整する。このため、本実施形態は、オペレータが撮影している時に、表示面に表示される画像が被検体に見られることを防止可能である。したがって、本実施形態は、撮影を効率的に実施することができる。
【００５９】
＜実施形態４＞
本発明にかかる実施形態４について説明する。
【００６０】
図９は、本発明にかかる実施形態４において、超音波診断装置１の要部を示すブロック図である。
【００６１】
図９に示すように、超音波診断装置本体３が被検体位置検知部３４を含み、実施形態２と異なる。この点を除き、本実施形態は、実施形態２と同様である。このため、重複する個所については、説明を省略する。
【００６２】
被検体位置検知部３４は、位置センサを含み、この位置センサにより被検体Ｓの位置を検知する。そして、被検体検知部３４は、検知した被検体Ｓの位置データを制御部３２４に出力する。
【００６３】
その後、制御部３２４は、被検体位置検知部３４が検知した被検体Ｓの位置データに基づいて、視野角調整部４２が表示部４１の表示面における視野角を調整するように、制御信号を視野角調整部４２へ出力する。ここでは、視野角調整部４２は、被検体検知部３４が検知した被検体Ｓの位置が基準範囲以内の場合には、その被検体の位置が基準範囲外の場合よりも、表示部４１の視野角が小さくなるように調整する。
【００６４】
以上のように、本実施形態においては、被検体Ｓの位置を被検体位置検知部３４が検知し、その被検体位置検知部３４が検知した被検体Ｓの位置に基づいて、視野角調整部４２が表示部４１の視野角を調整する。このため、本実施形態は、オペレータが撮影している時に、表示面に表示される画像が被検体に見られることを防止可能である。したがって、本実施形態は、撮影を効率的に実施することができる。
【００６５】
なお、本発明の実施に際しては、上記した実施の形態に限定されるものではなく、種々の変形形態を採用することができる。
【００６６】
たとえば、各実施形態における装置の構成要素を組み合わせてもよい。
【００６７】
また、たとえば、表示部４１については、ＬＣＤ装置に限定されず、ＣＲＴ，ＥＬなどの表示装置であってもよい。また、３Ｄ表示可能な表示装置であってもよい。そして、この場合には、たとえば、電気制御可能な視差バリアを用いてもよい。
【図面の簡単な説明】
【００６８】
【図１】図１は、本発明にかかる実施形態１において、超音波診断装置１の全体構成を模式的に示した正面図である。
【図２】図２は、本発明にかかる実施形態１において、超音波診断装置１の要部を示すブロック図である。
【図３】図３は、本発明に係る実施形態１において、視野角調整部４２が視野角を調整して、画像が表示された様子を示す上面図である。
【図４】図４は、本発明にかかる実施形態２において、超音波診断装置１の要部を示すブロック図である。
【図５】図５は、本発明に係る実施形態２において、視野角調整部４２が視野角を調整して、画像が表示された様子を示す上面図である。
【図６】図６は、本発明にかかる実施形態３において、超音波診断装置１の要部を示すブロック図である。
【図７】図７は、本発明にかかる実施形態３において、画像表示方法を説明するためのフロー図である。
【図８】図８は、本発明にかかる実施形態３において、視野角を調整させる際の様子を示す上面図である。
【図９】図９は、本発明にかかる実施形態４において、超音波診断装置１の要部を示すブロック図である。
【符号の説明】
【００６９】
１…超音波診断装置（超音波診断装置）、
２…載置台（載置台）、
３…超音波診断装置本体
４…表示装置
３１…超音波プローブ
３２…中央処理部
３３…操作部
３４…被検体位置検知部（被検体位置検知部）
４１…表示部（表示部）
４２…視野角調整部（視野角調整部）
４３…表示部支持台
４４…表示方向検知部（表示方向検知部）
３２１…送受信部
３２２…画像生成部
３２３…記憶部
３２４…制御部
３２４ａ…視野角設定部（視野角設定部）
３２４ｂ…調整可否設定部（調整可否設定部）
３２４ｃ…閾値設定部（閾値設定部）
【図１】
2006247039.tif 000003
【図２】
2006247039.tif 000004
【図３】
2006247039.tif 000005
【図４】
2006247039.tif 000006
【図５】
2006247039.tif 000007
【図６】
2006247039.tif 000008
【図７】
2006247039.tif 000009
【図８】
2006247039.tif 000010
【図９】
2006247039.tif 000011